(57)【特許請求の範囲】
【請求項１】
ＩＣチップとこのＩＣチップに電気的に接続するアンテナを有するＩＣ装置を内蔵するキャリヤーを形成しこのキャリヤーの両側にスリットを開口した取付片を設けた認識装置本体と、中央に形成した表示部の両側に帯状体を伸長しこの帯状体の一方の先端部に封緘部を設けたリストバンドとからなり、このリストバンドに前記認識装置本体を着脱自在に組み合わせてなるリストバンド型認識装置。
【請求項２】
ＩＣチップとこのＩＣチップに電気的に接続するアンテナを有するＩＣ装置を内蔵するキャリヤーを形成しこのキャリヤーの両側にスリットを開口した取付片を設けた認識装置本体と、帯状体とこの帯状体の一端に封緘部を設けたリストバンドとからなり、このリストバンドに前記認識装置本体を着脱自在に組み合わせてなるリストバンド型認識装置。
【発明の詳細な説明】
【０００１】
【発明の属する技術分野】
本発明は、リストバンド型認識装置であって、詳しくは各種の遊園地やレジャーランド等において入場者の手首に装着し各種の乗物又は各種の催事場等に乗車又は入場する際に自動的に料金の引き落としや積算を行なったり、更に退場の際に料金の清算を行うために使用するものである。
【０００２】
【従来の技術】
各種のレジャーランド、遊園地あるいはイベント会場等においては多数の人々が出入りする。そこで参集する人々が正規の入場者であるか否か、あるいはその人々が或る特定の種類やグループに属する人であるか否か等を識別してそれに応じて取扱ったり、整理したりする必要がある。
【０００３】
一般には、入場者にチケットやＩＤカード等を渡し、各会場においてこれの提示を求めてその表示内容や色彩等で識別するようにしている。また、レジャーランド等で乗物に搭乗する際は、各種の乗物のメニューや搭乗回数等を表示したチケットに消し込みやパンチングを行って入場者を整理することが行われている。
【０００４】
しかし、前記チケットやＩＤカードは携帯に不便であり、出し入れが煩雑である上に紛失し易く、特に子供の場合にはうまく利用できず手間取るという問題がある。また、入場料をちゃんと払った本人のものかどうかを確認することができないと言う管理上の問題もある。
【０００５】
このような不都合を解消するものとして手首に装着する腕バンド状の表示バンドを使用し、その表示部に乗物のメニューや搭乗回数等を印刷したものが提案されている。
この種の表示バンドは、両端に雄ホックと雌ホックや、ハトメとこれに結合する突起体からなる一対の封緘部を設けたもので、入場者は会場に入場する際この表示バンドを手首に巻付け、この封緘部を結合固定し、表示部に表示された乗物のメニューや搭乗回数を係員が油性インクペンで消し込みを行うというものである。
【０００６】
しかしながら、この種の封緘部付の表示バンドは、入場時に手首に装着すると確実に封緘される利点があるが、刃物を使用して切断しない限り、取り外しができない構造のものであるために取扱い性が悪く、また、刃物を利用する点で危険である上に、特に多数の人々の表示バンドを捌くことは極めて煩雑で効率が悪かった。
【０００７】
また、構造上の問題としてバンド部と封緘部とは材質と強度が異なる関係で別体として製造され、組立てられている。すなわち、バンド部はプラスチックシートをプレスで打抜いて製作し、封緘部は合成樹脂の射出成形で製造したハトメやホック、あるいは同様に金属性のものを使用し、前記のように製造したバンド部に封緘部を取り付けて完成したもので、製造コストが著しく高くなる。
【０００８】
また、使用上の問題としてプラスチックシートをプレスで打抜いて製造したバンド部は、エッジが鋭利なものとなっているために感触が悪く、特に婦人や幼児の場合、柔らかい肌に傷を付け易いという問題がある。
これを避けるために溶融切断機を使用してバンドの形状に溶融切断したものがあるが、このものは表面側から見た縁部は丸みを持っているが裏側から見た縁部は尖った状態になっており、やはり打ち抜いたバンド部と同様な問題がある。
【０００９】
（１）  出願人は先に、以上のような問題を解消するために、次のようなリストバンドを提案した。
このリストバンドを図面を参照して説明する。
図４（Ａ）はリストバンド１の正面図、図４（Ｂ）は同側面図であって、リストバンド１は、合成樹脂の射出成形による、基本的には一体成形品であって、中央にシート状の表示部２を形成し、この表示部２の両側にこの表示部２より細幅の帯状体３，３’を形成するが、一方を他方より長く形成する。そして短い方の帯状体３’の端部に封緘部４を形成している。
【００１０】
また図４（Ａ）に示すように表示部２と帯状体３，３’の周囲に断面が略円形の縁部５（縁取り）をめぐらせて使用者の手首に損傷を与えることがないように配慮している。
表示部２は薄いシート状ないしは板状に形成され、例えばその表面に搭乗できる乗物や入場できるパビリオンのメニューや搭乗・入場できる回数等を印刷して表示するようになっている。
【００１１】
この表示部２は通常は短冊形であって、これより細幅の帯状体３，３’を延長し、長い方の帯状体３には適当な間隔で止め穴３ａを開口し、手首ないしは腕にバンド１を回してこの止め穴３ａを後述する封緘部４に係合して固定するようになっている。
【００１２】
次に、封緘部４は、この例においては拡大図である図５（Ａ）及び横断面図である図５（Ｂ）に示すように、短い方の帯状体３’に形成され、そしてホック状ないしハトメ状の雄係合部６と雌係合部７を肉薄のヒンジ部８で折り畳んで係合するように構成されている。
【００１３】
雄係合部６は、薄板部６ａの中央部に係合突起６ｂを突出し、薄板部６ａの周囲に円弧状のスリット６ｃを環状に配置し、このスリット６ｃの先端部同士の間に細幅の連結部６ｄを形成しているので、係合突起６ｂに引張り力を作用させると、この連結部６ｄは簡単に切断されて前記薄板部６ａが係合突起６ｂと共に脱落するように構成している。
【００１４】
すなわち、前記スリット部６ｃと連結部６ｄからなる環状の部分は、「切断リング」を形成しており、バンド１を手首等に巻き付けて封緘状態にした場合に、故意に外そうとすると連結部６ｄが切断されてしまうので、バンド１を再び首等に巻き付けて封緘状態にすることができない。
前記係合突起６ｂは、円柱部６ｆの上端に円板状あるいは直線状に係止縁６ｇを形成している。
【００１５】
一方、雌係合部７は周囲に円弧状のスリット７ａとこのスリット７ａの間の連結部７ｂとを環状に配置した薄板部７ｃを形成し、この薄板部７ｃの中央部に円形の肉厚の係止部７ｇを形成し、この肉厚の係止部７ｇの中央に係合穴７ｄを開口している。なお、前記スリット７ａと連結部７ｂとからなる環状の部分は、前記「切断リング」と共動して作用する第２の「切断リング」を形成している。
【００１６】
そして、この係合穴７ｄは、図５（Ｂ）に示すように、前記係合突起６ｂの係止縁６ｇを案内するための円錐状の案内面７ｅと、この案内面７ｅの裏側に止め面７ｆとを形成し、係合突起６ｂが係合穴７ｄ内に嵌入した場合には、係合突起６ｂの係止縁６ｇが前記止め面７ｆに確実に噛合して封緘状態になるように構成されている。
【００１７】
なお、図５（Ｂ）に示すように、カギ形の断面を持つ係合突起６ｂとカギ形の断面を持つ係止部７ｇとからなる係合部材は、雄係合部６を雌係合部７に対して押圧して嵌合させる際に簡単に嵌合するが、一旦嵌合するとカギ形の噛合状態が外れることがなく、無理に外そうとすると前記連結部６ｄ，７ｂが切断される強度であるように設計する必要がある。
【００１８】
（２）  以上のように構成したリストバンド１の使用方法について説明する。
先ず、リストバンド１を手首の周囲にあてがい、手首の太さに応じて適当な帯状体３の止め穴３ａに封緘部４を構成する雄係合部６の係合突起６ｂを嵌める。
そして雌係合部７をヒンジ部８を介して折り曲げて雄係合部６に重ね、係合突起６ｂを係合穴７ｄに押圧挿入することによって、係合突起６ｂの係合縁６ｇが係合穴７ｄの円錐状案内面７ｅに滑りながら案内され止め面７ｆに係合する。この状態は図５（Ｂ）に示す「封緘状態」であり、一旦この状態になると最早雌係合部７と雄係合部６との係合状態を解除することができなくなり、リストバンド１は手首に確実に保持される。
【００１９】
次に、リストバンド１を手首から取り外す時は、帯部３の先端部を手首から引き剥がすように引っ張る。そうすると、雌係合部７の薄板部７ｃと雄係合部６の薄板部６ａが図４（Ｂ）のように帯状体３を挟んでサンドイッチ状態で一体になっているので、スリット部６ｃ及び連結部６ｄと、スリット部７ａ及び連結部７ｂとで形成される「切断リング」の部分が一挙に切断して、両薄板部６ａ，７ｃが長い帯部３に付着した状態で短い帯部３’の側部から引き剥がされる。このようにして封緘状態が破れることになり、リストバンド１を手首から簡単に取り外すことができる。
【００２０】
このようにして一旦切断リングの部分から切断されると封緘部４は最早修復不可能であるから、このようなバンド１は再使用することができず安全である。
以上のように構成されたリストバンド１は、各種のレジャーランド、遊園地あるいはイベント会場、プール、スキー場、ヘルスセンター等、場所を問わず多数の人々が出入りする施設で有効に使用することができ、管理の効率を大幅に向上できる。
【００２１】
【発明の解決しようとする課題】
しかしながら、上記リストバンド１にも限界がある。すなわち、リストバンド１の表示部２は面積が自ずと限定され狭いので、表示部２に表示する情報が限られ、大規模なレジャーランド等における全ての乗物や催事場を網羅することは困難である。
【００２２】
また、リストバンド１の表示部２に予め記載されていない乗物等に乗りたくなった際には使用できないと言う限界もある。また、時間が足りなくなっり、気が変わって或る乗物に乗らない場合は、予め支払った料金が無駄になるおそれがある。
更には、レジャーランド内の売店で土産物を入手したり、レストランで飲食物を注文したりする際は、別途現金を支払う必要があり、リストバンド１は使用できない。
【００２３】
このような限界や問題点を解消し、予め多くの情報が入力され、使用中に情報の変更、追加が行われ、更には金額の加除・積算や清算が可能な汎用的な認識用リストバンド１が求められている。
【００２４】
【課題を解決するための手段】
前記の課題を解決する目的のための本発明のリストバンド型認識装置は、ＩＣチップとこのＩＣチップに電気的に接続するアンテナを有するＩＣ装置を内蔵するキャリヤーを形成しこのキャリヤーの両側にスリットを開口した取付片を設けた認識装置本体と、中央に形成した表示部の両側に帯状体を伸長しこの帯状体の一方の先端部に封緘部を設けたリストバンドとからなり、このリストバンドに前記認識装置本体を着脱自在に組み合わせて構成されている。
【００２５】
または、ＩＣチップとこのＩＣチップに電気的に接続するアンテナを有するＩＣ装置を内蔵するキャリヤーを形成しこのキャリヤーの両側にスリットを開口した取付片を設けた認識装置本体と、帯状体とこの帯状体の一端に封緘部を設けたリストバンドとからなり、このリストバンドに前記認識装置本体を着脱自在に組み合わせて構成されている。
【００２６】
【発明の実施の形態】
リストバンド型認識装置を図面によって説明する。
（１）  図１（Ａ）はこの認識装置本体１０の平面図、図１（Ｂ）は同平面図（一部断面図）である。
認識装置本体１０は中央に円盤状のキャリヤー１１を形成し、キャリヤー１１の中にＩＣ装置１２を内蔵している。ＩＣ装置１２はＩＣチップ（半導体素子）とこれに電気的に接続するアンテナ及び低電源から構成される（図示せず）。
【００２７】
ＩＣチップは１０６〜１０ｋｂ／ｓ程度のメモリー（通信速度）を保有し、リードライト可能（再利用可能）とし、非接触型でゲートの端末機（質問機）からの発信データの読み取り距離（伝送距離）は１０〜７０ｃｍ程度である。
キャリヤー１１には、側部の左右対称位置に板状の取付片１３、１４を形成し、それぞれスリット１３ａ、１４ａを開口する。そして、一方の取付片１３から細帯体１５を所定の長さに伸長し、この細帯体１５の先端部には係止部１６が形成される。
【００２８】
これらキャリヤー１１、取付片１３，１４、細帯体１５及び係止部１６は合成樹脂で一体的に成形される。
次に、リストバンド型認識装置に使用するリストバンド１は、上述の従来技術の欄で説明したリストバンド１とほぼ同じ構造であるので，繰り返し説明することは避ける。図２（Ａ）は平面視のリストバンド型認識装置を示し、図２（Ｂ）は側面視のリストバンド型認識装置を示しているが、認識装置本体１０と組み合わされたリストバンド１自体も見て取れる。そして、上述したリストバンド１と同じ部分については同じ符号を用いている。
【００２９】
但し、短い帯状体３’の所定位置に係止穴３ｂを１つ設けた点が異なる点である。この係止穴３ｂは上記した認識装置本体１０の細帯体１５の係止部１６を挿入、係止するために設けたものである。
次に、認識装置型リストバンドの組立方法を説明する。
先ず、認識装置本体１０の取付片１３，１４のスリット１３ａ、１４ａを、リストバンド１の長い帯状体３の先端から通し、リストバンド１の表示部２の位置まで挿入する。
【００３０】
一方のスリット１３Ａは表示部２を通す長さであり、他方のスリット１４Ａの長さは帯状体３を通す大きさで表示部２の幅より小さいので、取付片１３，１４は図２（Ａ），（Ｂ）の示す位置、即ち表示部のほぼ半分を覆う位置に留まることになる。
【００３１】
そして、細帯体１５の係止部１６を、リストバンド１の帯状体３’の所定位置に設けた係止穴３ｂに挿入、係止して、認識装置型リストバンドの組立は完了する。
なお、係止穴３ｂに係止した係止部１６は、使用後には、係止穴３ｂから引き抜くことができ、リストバンド１から認識装置本体１０を外せるように構成されている。
【００３２】
（２）  次に、図３（Ａ）〜（Ｄ）によって認識装置本体の変形例を説明する。
先ず、図３（Ａ）に示す認識装置本体１０Ａでは、細帯体１５Ａを上記説明の逆方向、即ち他方の取付片１３Ａ側に短く設け、その先端部に係止部１６Ａを形成し、この係止部１６Ａをリストバンド１の長い帯状体３の止め穴３ａの１つ（最も帯状体部３の基部に近い穴が望ましい）に挿入、係止して認識装置を組み立てるように構成してもよい。この場合、リストバンド１の短い帯状体３’の係止穴３ｂは設ける必要はない。
【００３３】
図３（Ｂ）に示す認識装置本体１０Ｂでは、両取付片１３Ｂ，１４Ｂのスリット１３ｂ、１４ｂ共、その長さを帯状体３は通るが表示部２は通らないように形成して、取付片１４Ｂが表示部２の手前に留まり、表示部２が覆われることがないように構成しておくと、表示部２全体の表示を読み取ることができる。この場合、細帯体１５Ｂは前記の細帯体１５の長さにほぼ表示部２の長さを加えた長さに形成される。
【００３４】
図３（Ｃ）に示す認識装置本体１０Ｃでは、上記認識装置本体１０Ｂと同様、両取付片１３Ｃ，１４Ｃの両スリット１３ｃ、１４ｃ共、その長さを帯状体３が通る程度に形成すると共に、細帯体１５Ｃを一方の取付片１３Ｃに短く設け、その先端部に係止部１６Ｃを形成する。そして、この係止部１６Ｃをリストバンド１の長い帯状体３の止め穴３ａの１つ（最も帯状体部３の基部に近い穴が望ましい）に挿入、係止して認識装置を組み立てる。この場合は使用するリストバンド１の短い帯状体３’の係止穴３ｂは設ける必要はない。またはこの場合、使用するリストバンド１としては、表示部２を設けず一様な幅の帯状体３と封緘部４のみで構成するようにし、上記穴３ａ以外に特別に係止穴を設けても、また設けなくともよい。また、短い細帯体１５Ｃと係止部１６Ｃを他方の取付片１４Ｃ側に設けるように構成してもよい。
【００３５】
図３（Ｄ）に示す認識装置本体１０Ｄでは、キャリアー１１Ｄの裏面に直接的に係止部１６Ｄを突出して形成する。この係止部１６Ｄをリストバンド１の長い帯状体３の止め穴３ａの１つ（最も帯状体部３の基部に近い穴が望ましい）に挿入係止するか、または上記の止め穴３ａ以外に封緘部４寄りに特別に係止穴を設けて（例えば表示部２付の場合、表示部２上に設ける）、この係止穴に係止部１６Ｄを挿入係止してリストバンド型認識装置を組み立てる。またこの場合、使用するリストバンド１としては、表示部２を設けずに一様な幅の帯状体３と封緘部４で構成したものと組み合わせてもよい。
【００３６】
なお、上記の認識装置本体１０，１０Ａ〜Ｄにおいて、取付片のスリットをやや狭く形成してリストバンド１にぎりぎり挿入できる程度にして、組立後スリットとリストバンド１の間の摩擦によって滑って移動することが起こりにくく構成すれば、上記の細帯体１５，１５Ａ〜Ｃと係止部１６，１６Ａ〜Ｄを省略して設けないようにすることも可能である。その場合、当然リストバンド１に係止部用の係止穴３ｂを形成する必要はない。
【００３７】
（３）  上記で説明したように構成したリストバンド型認識装置は、認識装置本体とリストバンドはそれぞれ合成樹脂で一体的に成形され、かつ両者は簡単に組み立てられので、低コストで大量に提供できる。
【００３８】
そして、このリストバンド型認識装置はレジャーランド等の入場者が一定の金額を支払って、購入し手首に装着して会場に入場し、各種乗物に搭乗する際に、入場者の認識装置とゲートにおいて備え付けられた端末機（質問機）と間で非接触的に情報交換が行われ、認識装置内の金額が引き落とされるものである。また、レストランや売店でも同様に備え付けられた端末機と間で非接触的に認識装置と情報交換が行われ、認識装置内に記録された金額が引き落とされる。
【００３９】
そして、レジャーランド等を退場する際、残額の清算を受けるものである。
また、レジャーランド等の入場者が小額の金額を支払うか、または未払いのままで、リストバンド型認識装置を受取って会場に入場し、会場内では、ＩＣ装置内に不足金額が積算されるようにし、レジャーランド等を退場する際に清算するようにしてもよい。
また、使用済のリストバンド自体は、前記したように、封緘部が切断してしまうので再利用ができないが、認識装置本体は使用済のリストバンド１から簡単に無傷のまま取り外し、記録された情報を更新して新たなリストバンド１に簡単に組み合わせ、何度も再利用することができて経済的である。また、認識装置本体の再利用は省資源ないし環境対策上の観点からも望ましい。従って、入場者が退場する際はリストバンド型認識装置を入場者から回収することが望ましい。
【００４０】
更に、リストバンド１は一旦手首に装着すると封緘部を切断せずには取り外しができないから、認識装置本体を別に用意してきたものとすりかえて清算金額を誤魔化すような不正行為が困難になるという効果もある。
【００４１】
【発明の効果】
以上のように構成された本発明のリストバンド型認識装置は、レジャーランド等において入場者の手首に装着したままで特に提示するまでもなくゲートを通過すれば、非接触式にゲートの端末機から自動的に各種の情報を受け、大量の情報を記録し、また読みだすことができるので、入場者の管理や各施設の運営等に活用でき便利である。
【００４２】
また、レジャーランドー等において、各種の乗物への搭乗や各種の催事場への入場の都度、支払いや確認をする煩雑さを省き、また買い物等にも活用でき、後で一括清算できるから、事業者・利用者双方にとって省力的で効率がよく利益がある。
更に、リストバンド型認識装置は簡単に組み立てられるので低コストで提供でき、また使用後は回収し認識装置本体はリストバンドから取り外して何度も再利用できて経済的、かつ省資源的である。
【図面の簡単な説明】
【図１】（Ａ）認識装置本体の平面図である。
（Ｂ）認識装置本体の側面図である。
【図２】（Ａ）リストバンド型認識装置の平面図である。
（Ｂ）リストバンド型認識装置の側面図である。
【図３】（Ａ）〜（Ｄ）認識装置本体の変形例である。
【図４】（Ａ）先に提案されたリストバンドの平面図である。
（Ｂ）先に提案されたリストバンドの側面図である。
【図５】（Ａ）先に提案されたリストバンドの封緘部の拡大平面図である。
（Ｂ）先に提案されたリストバンドの封緘部を係合した状態を示す拡大断面図である。
【符号の説明】
１  リストバンド      ２  表示部      ３，３’  帯状体      ４  封緘部
６    雄係合部      ７  雌係合部
１０  認識装置本体      １１  キャリヤー      １２  ＩＣ装置
１３，１４  取付片    １３ａ，１４ａ  スリット      １５  細帯部
１６  係止部
【図１】
0004027495.tif 000002
【図２】
0004027495.tif 000003
【図３】
0004027495.tif 000004
【図４】
0004027495.tif 000005
【図５】
0004027495.tif 000006